(57)【要約】【課題】小ノズル付きのキャップ本体後部へ、小ノズル密閉用の小筒部付き蓋体後部をヒンジ連結させて、蓋体を嵌合させたキャップであって、その蓋開放を確実かつ容易に行えるものを提供する。【解決手段】キャップの蓋体周壁２４の後壁部を内方への揺動可能な弾性壁部２８とするとともに、該弾性壁部２８へヒンジ３１で連結した、キャップ本体外筒５の後壁部分を、下辺を除いて切離して弾性操作板１１に形成し、かつ該弾性操作板の内方押込みにより、弾性操作板上端面と弾性壁部２８下端面と間に差し込まれるように設けた楔状部１６を、キャップ本体頂板３の後縁部に付形した。【選択図】図３
2004352352.tif 000002
【特許請求の範囲】
【請求項１】
注出孔２ａを有する頂板３から容器体口頸部外面へ嵌合させる内筒４と該内筒を囲む外筒５とを垂下するキャップ本体１と、上記注出孔閉塞部付き頂壁２３外周から周壁２４を垂設した蓋体２１とを、各後部でヒンジ連結したキャップにおいて、
上記蓋体周壁２４の後壁部２８の下端部側へヒンジ３１で連結した、キャップ本体外筒５の後壁部分を、下辺を除いて切離して弾性操作板１１に形成するとともに、該弾性操作板を内方へ押し込んだときに少なくとも蓋体周壁の後壁部２８下端が内方変位するように設け、かつ上記弾性操作板１１の内方押込みにより、弾性操作板上端面と蓋体周壁の後壁部２８下端面との間に差し込まれるように設けた楔状部１６を、キャップ本体頂板３の後縁部に付形し、かつ上記ヒンジ３１を、該ヒンジと蓋体周壁の後壁部２８下端の前側角部３４との間に楔状部差込み代Ｌを存して弾性操作板１１及び蓋体周壁の後壁部２８の各後面側に形成したことを特徴とする、蓋体付きキャップ。
【請求項２】
上記蓋体周壁の後壁部２８を、内方への揺動可能な弾性壁部としたことを特徴とする、請求項１記載の蓋体付きキャップ。
【請求項３】
上記外筒５の上端部を上向き段部６を介して起立する小外径部７に形成しておき、かつ該小外径部下端縁よりも下方の外筒後壁部分を、下辺側を除いて切離して上記弾性操作板１１に形成し、上記小外径部７後部を、斜め下外方へ下降する傾斜壁に形設して、該傾斜壁を上記楔状部１６としたことを特徴とする、請求項１又は請求項２記載の蓋体付きキャップ。
【請求項４】
上記キャップ本体１の外筒５前壁上端部と蓋体周壁２４の対応部分下端部とに、上記外筒５前壁の内方押込みにより解除可能な第１、第２係合手段２０，２６を設けたことを特徴とする、請求項１、請求項２、又は請求項３記載の蓋体付きキャップ。
【発明の詳細な説明】
【０００１】
【発明の利用分野】
本発明は、蓋体付きのキャップに関する。
【０００２】
【従来の技術】
小ノズルを起立する頂板から容器体口頸部外面へ嵌合させる内筒と該内筒を囲む外筒とを垂下し、該外筒上端部を小外径筒部とするキャップ本体と、上記小ノズル外面へ嵌合して密閉する小筒部を下面に有する頂壁外周から周壁を垂下して、該周壁下端部を上記小外径筒部へ嵌合させた蓋体とを、各後部で弾性反転式のヒンジ機構で連結し、該ヒンジ機構を中心とする回動で蓋体の開閉が自在とし、又容器体外筒の左右両上半部を外筒から切離して弾性操作板に形成し、これら弾性操作板を内方へ押込むと蓋体頂壁の裏面から垂下させた突部の斜面へ弾性板上端から延長された先端部が圧接して、突部を介して蓋体前部を押上げするよう設けた蓋体付きキャップが知られている（特許文献１）。
【０００３】
【特許文献１】
特許第３２７３３５９号公報
【０００４】
【発明の解決しようとする課題】
本発明も上記従来例のような小ノズル付きのキャップ本体後部へ、小ノズル密閉用の小筒部付き蓋体後部をヒンジ連結させて、蓋体を嵌合させたキャップに関するものであり、従来と異なる機構で開蓋を確実かつ容易に行うことができるようにしたものである。
【０００５】
【課題を解決するための手段】
第１の手段は、注出孔２ａを有する頂板３から容器体口頸部外面へ嵌合させる内筒４と該内筒を囲む外筒５とを垂下するキャップ本体１と、上記注出孔閉塞部付き頂壁２３外周から周壁２４を垂設した蓋体２１とを、各後部でヒンジ連結したキャップにおいて、
上記蓋体周壁２４の後壁部２８の下端部側へヒンジ３１で連結した、キャップ本体外筒５の後壁部分を、下辺を除いて切離して弾性操作板１１に形成するとともに、該弾性操作板を内方へ押し込んだときに少なくとも蓋体周壁の後壁部下端が内方変位するように設け、かつ上記弾性操作板１１の内方押込みにより、弾性操作板上端面と蓋体周壁の後壁部２８下端面との間に差し込まれるように設けた楔状部１６を、キャップ本体頂板３の後縁部に付形し、かつ上記ヒンジ３１を、該ヒンジと蓋体周壁の後壁部２８下端の前側角部３４との間に楔状部差込み代Ｌを存して弾性操作板１１及び蓋体周壁の後壁部２８の各後面側に形成している。
【０００６】
第２の手段は、上記第１の手段を有し、かつ上記蓋体周壁の後壁部２８を、内方への揺動可能な弾性壁部としている。
【０００７】
第３の手段は、上記第１の手段又は第２の手段を有し、かつ上記外筒５の上端部を上向き段部６を介して起立する小外径部７に形成しておき、かつ該小外径部下端縁よりも下方の外筒後壁部分を下辺側を除いて切離して上記弾性操作板１１に形成し、上記小外径部７後部を、斜め下外方へ下降する傾斜壁に形設して、該傾斜壁を上記楔状部１６としている。
【０００８】
第４の手段は、上記第１の手段、第２の手段、又は第３の手段を有し、かつ上記キャップ本体１の外筒５前壁上端部と蓋体周壁２４の対応部分下端部とに、上記外筒５前壁の内方押込みにより解除可能な第１、第２係合手段２０，２６を設けている。
【０００９】
【発明の実施の形態】
本発明に係るキャップは、キャップ本体１と、蓋体２１とで構成されている。
【００１０】
キャップ本体１は、左右方向へ長い楕円形状としており、図１に示す如くノズル２を起立する頂板３から、図３が示すように容器体口頸部の外面へ嵌合させる内筒４と該内筒４を囲む外筒５とを垂下している。又、８は、口頸部内面へ嵌合させるシール筒である。上記外筒の上端部は、図１に示すように、上向き段部６を介して小外径部７を形成している。内筒４は口頸部嵌合のため真円としており、外筒５は楕円形状をなす。上記ノズル２は半球形状をなし、その上部前面寄りに注出孔２ａを形成させている。
【００１１】
上記上向き段部６下方の外筒後壁部分は、図２に示すように、下辺側を除いて切離し線１２穿設により切離して弾性操作板１１に形成している。上記切離し線１２は、上向き段部６後部の内縁（小外縁部下端縁）と、この内縁左右両端から上向き段部６を横切ってキャップ本体外筒５の下部に至る部分とに穿設している。弾性操作板１１の後面端部からは、図３のように上面を平坦面とする第１突部１３を後方へ突設しており、かつ、上記上向き段部６後部の上面で形成する弾性操作板１１上端面と、第１突部１３の上面とは、後述楔状部の滑り面として同一の高さで連続して設ける。又、第１突部１３下方の弾性操作板１１部分外面には、指当て突条１４を縦設している。
【００１２】
上記小外径部７後部は、斜め下外方へ下降する傾斜壁に形設して、楔状部１６としている。この楔状部は、その下端面を、弾性操作板１１上端面と同じ高さの水平面とし、キャップ本体１への蓋体２１嵌合状態において、弾性操作板１１上端面前縁と楔状部１６先端とが対峙するように設ける。
【００１３】
更に、キャップ本体の外筒５前壁上部は、切離し線１９穿設により切離して弾性係止板１８に形成し、該弾性係止板が有する小外径部部分外面に、第１係合手段２０として係合凸部を付設している。
【００１４】
蓋体２１は、キャップ本体１の後方上部でヒンジ３１を介して連結させており、該ヒンジを中心とする回動によりキャップ本体１上面への嵌合可能に形成する。該嵌合時において、蓋体２１は、頂壁２３から垂下する周壁２４下部を上記キャップ本体１の小外径部７外面へ嵌合させ、又、周壁２４下端面を上向き段部６上面へ載置可能にしている。尚、該蓋体２１もキャップ本体１と同様に平面楕円形状としている。又、蓋体頂壁２３の裏面から、注出孔閉塞部２５としての栓筒を垂下し、該栓筒を上記ノズル２外面へ液密に嵌合させている。蓋体周壁２４の前壁部には、キャップ本体側の係合凸部と係合する係合凹部を、第２係合手段２６として穿設する。
【００１５】
更に、蓋体周壁２４の後壁部２８は、蓋体頂壁２３後端部を中心として内方への揺動可能な弾性壁部に形成する。該弾性壁部の後端部には、下面を平坦面とする第２突部２９を付設し、該第２突部の後端と上記キャップ本体の第１突部１３の後端とを上記ヒンジ３１で連結して、該ヒンジと蓋体周壁の後壁部２８下端の前側角部３４との間に楔状部差込み代Ｌをとるように形成している。又、第１、第２突部１３，２９の左右両側の外筒５後壁部分及び蓋体周壁２４後壁部分の各後面には、一対の蛇行弾性帯板３２，３２を付設して、これら弾性帯板と上記ヒンジ３１とで弾性反転式のヒンジ機構３０を構成している。又、上記蓋体周壁の後壁部２８下端の前側角部３４は図３に示すように面取りさせている。
【００１６】
上記構成において、図３に示す閉蓋状態から、弾性係止板１８前面及び弾性操作板１１後面をキャップ内方へ押すと、第１、第２係合手段２０、２６の係合が解除されるとともに、弾性操作板１１及び蓋体周壁の後壁部２８が内方屈折して、図４の如く該弾性操作板１１下端の前側角部３４が楔状部１６上面へ乗り上げて、ヒンジ３１を中心に蓋体２１が少なくとも該蓋体の思案点（ヒンジ機構の開方向付勢力と閉方向付勢力とが釣り合う点）位置まで押上げられ、該思案点位置から開蓋状態位置まで弾性反転する。
【００１７】
開蓋状態から、蓋体２１を閉方向へ回動すると、第１、第２係合手段２０，２６が係合して図３状態に戻る。
【００１８】
尚、図示例では、既述の如く蓋体周壁の後壁部２８を、内方へ揺動する弾性壁部とし、該弾性操作板１１の内方押込みにより主として上記弾性壁部のみが内方変位するように構成しているが、例えば上記弾性操作板１１の内方押込みにより蓋体２１全体がキャップ本体１に対して前方へスライドすることが可能に構成することもできる。
【００１９】
【発明の効果】
本発明は上記構成のものであり、請求項１の発明は次の効果を奏する。
○弾性操作板１１の内方押込みにより、該弾性操作板上端部と蓋体周壁の後壁部２８下端部との間に楔状部１６が差し込まれるように構成したから、その楔作用によって蓋体２１を容易かつ確実に開放することができる。
○上記楔状部１６はキャップ本体頂壁２３の後縁部に付形したから、既存のキャップの構成を僅かに変更するだけで形成することができ、例えば部品数が増えることがないので、キャップの構造を簡易とすることができる。
【００２０】
請求項２の発明によれば、上記蓋体周壁の後壁部２８を、内方への揺動可能な弾性壁部としたから、キャップ本体の外筒部分上端部へ蓋体周壁の下端部を嵌合させたタイプのキャップに対しても、上記楔状部１６の楔作用により蓋体を開放させることができる。
【００２１】
請求項３の発明によれば、上記外筒５の上端部を、上向き段部６を介して小外径部７に形成したから、該小外径部外面へ蓋体周壁２４下端部を嵌合させることで該下端部の位置が決まり、その周壁の後壁部２８の前側角部３４も位置決めされるので、弾性操作板１１の内方押込みにより楔状部で確実に上記前側角部３４を押上げ、蓋体２１を開放させることができる。
【００２２】
請求項４の発明によれば、キャップ本体外筒５の前後両壁を指で挟んで内方へ押し込むことにより、キャップ前側に設けた第１、第２係合手段２０，２６の係を解除するとともに、楔状部１６で蓋体周壁の後壁部２８下端の前側角部３４を押上げることで蓋体２１を開放させることができるので、使い勝手が良い。
【図面の簡単な説明】
【図１】本発明に係るキャップを斜め前方から見た斜視図である。
【図２】図１のキャップを斜め後方から見た斜視図である。
【図３】図１のキャップの側方縦断面図である。
【図４】図１のキャップの使用状態説明図である。
【符号の説明】
１…キャップ本体  １１…弾性操作板  １６…楔状部    ２１…蓋体
【図１】
2004352352.tif 000003
【図２】
2004352352.tif 000004
【図３】
2004352352.tif 000005
【図４】
2004352352.tif 000006